(57)【要約】【課題】  特別な部品は一切用いないでコストの低減及び全体の小型化を図りながら、温調用栓棒の自転を防止して高温吐水域に調整された吐水温度を確実かつ安定よく維持できる湯水混合栓を提供する。【解決手段】  水栓本体１内に軸線方向に移動可能に設けられた可動弁体２２を湯側弁座２６及び水側弁座３１と接近する方向に付勢する感温バネ２７及びバイアスバネ３２とを対抗状態に設け、可動弁体２２を軸線方向に移動可能に収容する筒状ハウジング２１と筒状ハウジング２１内に収容され温調用ハンドル３の回転操作に連動して回転する温調用栓棒２８とこの温調用栓棒２８に形成の雄ねじ部３０及びこれに螺合する雌ねじ部材３４を介して栓棒２８の回転に伴い筒状ハウジング２１内を軸線方向に移動する筒状移動部材２９とを備えた湯水混合栓において、温調用栓棒２８と筒状ハウジング２１の抜止用相互接触面２８ａ，２４ａを、可動弁体２２側ほど漸次大径となるように軸線方向に傾斜するテーパー面に形成している。【選択図】図２
2008069953.tif 000002
【特許請求の範囲】
【請求項１】
水栓本体内に設けられた水側弁座及び湯側弁座と、これら両弁座に選択的に接離するように前記水栓本体内に同軸上で軸線方向に移動可能に設けられた可動弁体と、この可動弁体の上流側および下流側の水栓本体内にそれぞれ形成された湯流入室及び湯水混合室と、前記可動弁体を湯側弁座と接近する方向に付勢するように前記湯水混合室側に設けられた形状記憶材料よりなる感温バネと、この感温バネの付勢力に対抗させて前記可動弁体を水側弁座と接近する方向に付勢するように前記湯流入室側に設けられたバイアスバネと、前記水栓本体の一端に設けられ前記可動弁体を軸線方向に移動可能に収容する筒状ハウジングと、この筒状ハウジング内に収容され温度調整用ハンドルの回転操作に連動して回転する温度調整用栓棒と、この温度調整用栓棒に形成の雄ねじ部に螺合する雌ねじ部材を有し該栓棒の回転に伴い前記筒状ハウジング内を軸線方向に移動する筒状の移動部材とを備え、この移動部材の軸線方向移動により前記バイアスバネを伸縮させて前記可動弁体を軸線方向に移動させることによって湯水混合水の吐水温度を調整可能に構成している湯水混合栓において、
前記温度調整用栓棒と前記筒状ハウジングとの抜止用相互接触面を、前記可動弁体側ほど漸次大径となるように軸線方向に傾斜するテーパー面に形成していることを特徴とする湯水混合栓。
【請求項２】
前記温度調整用栓棒と前記筒状ハウジングとの抜止用相互接触テーパー面が、前記可動弁体の軸線に対して２０〜６０度範囲の傾斜角度に設定されている請求項１に記載の湯水混合栓。
【請求項３】
前記温度調整用栓棒と前記筒状ハウジングとの抜止用相互接触テーパー面が、前記可動弁体の軸線に対して４５度の傾斜角度に設定されている請求項１または２に記載の湯水混合栓。
【請求項４】
前記温度調整用栓棒に形成の雄ねじ部が、リードの大きい二条ねじから構成されている請求項１ないし３のいずれかに記載の湯水混合栓。
【請求項５】
前記バイアスバネは、前記可動弁体を湯側弁座と水側弁座との中間位置に移動したときのバネ定数よりも前記可動弁体を湯側弁座に接触する付近まで移動したときのバネ定数が大きくなるように少なくとも大小二段のバネ定数を有する単一バネから構成されている請求項１ないし４のいずれかに記載の湯水混合栓。
【請求項６】
前記バイアスバネが、可動弁体の移動方向に不等ピッチで螺旋状に巻回されたコイルバネである請求項５に記載の湯水混合栓。
【請求項７】
前記バイアスバネが、可動弁体の移動方向に等ピッチまたはほぼ等ピッチで、かつ、その移動方向に漸次径を変化させて巻回された円錐バネである請求項５に記載の湯水混合栓。
【発明の詳細な説明】
【技術分野】
【０００１】  本発明は、水栓本体内に軸線方向に移動可能に設けられた可動弁体を、形状記憶材料よりなる感温バネとバイアスバネとにより軸線方向の両側から付勢するように構成されている湯水混合栓に関するものである。
【背景技術】
【０００２】  この種の湯水混合栓は、水栓本体内に設けられた水側弁座及び湯側弁座と、これら両弁座に選択的に接離するように前記水栓本体内に同軸上で軸線方向に移動可能に設けられた可動弁体と、この可動弁体の上流側および下流側の水栓本体内にそれぞれ形成された湯流入室及び湯水混合室と、前記可動弁体を湯側弁座と接近する方向に付勢するように前記湯水混合室側に設けられた形状記憶材料よりなる感温バネと、この感温バネの付勢力に対抗させて前記可動弁体を水側弁座と接近する方向に付勢するように前記湯流入室側に設けられたバイアスバネと、前記水栓本体の一端に設けられ前記可動弁体を軸線方向に移動可能に収容する筒状ハウジングと、この筒状ハウジング内に収容され温度調整用ハンドル（以下、温調用ハンドルと称する）の回転操作に連動して回転する温度調整用栓棒（以下、温調用栓棒と称する）と、この温調用栓棒に形成の雄ねじ部に螺合する雌ねじ部材を有し該栓棒の回転に伴い前記筒状ハウジング内を軸線方向に移動する筒状の移動部材とを備え、この移動部材の軸線方向移動により前記バイアスバネを伸縮させて前記可動弁体を軸線方向に移動させることによって湯水混合水の吐水温度を調整可能に構成されている。【０００３】  そして、上記構成からなる従来一般の湯水混合栓においては、前記温調用栓棒と前記筒状ハウジングとの抜止用相互接触面が、前記可動弁体の移動する軸線方向に対して垂直な面に構成されていた。【０００４】  ところで、この種の湯水混合栓では、前記可動弁体が高温の吐水域に位置された状態において、感温バネが大きく圧縮されて該感温バネの付勢力が著しく増大されることになり、この感温バネの付勢力とバイアスバネの蓄力とが総和して筒状ハウジング内の移動部材に強大な軸力が働き、この強大な軸力によって移動部材に雌ねじ部材および雄ねじ部を介して螺合連係されている温調用栓棒に回転力が作用して該温調用栓棒が不測に自転されることになり、この温調用栓棒の時点により可動弁体が水側弁座から離間する方向に移動され、その結果、冷水が湯水混合室に流入して、高温吐水域に調整（設定）された吐水温度を維持することができないという不良事態を招きやすい。殊に、前記温調用栓棒に形成されている雄ねじ部は、温度調整の操作負荷をできるだけ軽減するように、例えばリードの大きい二条ねじから構成されていることが多い。そのため、温調用栓棒の抜止め機能を発揮させるべく該温調用栓棒と筒状ハウジングとを軸線方向に垂直な面同士で接触させるように従来一般の湯水混合栓では、限られた径内での両接触面の接触面積が小さく、両接触面間の回転摩擦抵抗を十分に大きくとれないことから、前記軸力の作用に伴い温調用栓棒が一層自転しやすく、この自転に起因する上記のような不良事態の発生は避けられないという問題がある。【０００５】  このような従来一般の湯水混合栓が有する問題、すなわち、温調用栓棒の自転を防止する手段として、前記温調用栓棒と前記筒状ハウジングとの軸線方向に対して垂直な面間に前記感温バネの付勢力に対抗するように圧縮コイルスプリングを介在させ、これによって、前記可動弁体が高温の吐水域に位置された状態で感温バネの付勢力とバイアスバネの蓄力との相和によ���移動部材に働く軸力を弱めて温調用栓棒の自転を防止するようにしたものが提案されていた（例えば、特許文献１参照）。【０００６】  また、前記温調用栓棒と前記筒状ハウジングとの軸線方向に対して垂直な面間に、例えばラチェットなどの回転抵抗機構を介在したものや、回転抵抗機構と前記感温バネの付勢力に対抗する圧縮コイルスプリングとを共存させたものも提案されていた（例えば、特許文献２参照）。【０００７】
【特許文献１】  特開２００５−１３３８４８号公報
【特許文献２】  特開２００３−２８３３７号公報
【発明の開示】
【発明が解決しようとする課題】
【０００８】  しかしながら、上記特許文献１や特許文献２で示されている従来提案の湯水混合栓の場合は、温調用栓棒と筒状ハウジングとの軸線方向に対して垂直な面間に圧縮コイルバネやラチェット等の回転抵抗機構あるいはその両者を組込むために、筒状ハウジング側にその組込み用の軸線方向スペースを設ける必要があって、この筒状ハウジングが軸長の大きいものとなり、その結果、湯水混合栓全体が軸長において大型化するという問題がある。また、温調用栓棒の自転防止用の組込み部品点数が増えるために、それだけ製作・組付け面からコスト高になりやすいという問題があった。【０００９】  本発明は上記のような実情に鑑みてなされたもので、その目的は、温調用栓棒の自転防止のための特別な部品は一切用いないでコストの低減及び全体の小型化を図りながら、高温吐水域に調整（設定）された吐水温度を確実かつ安定よく維持することができる湯水混合栓を提供することにある。
【課題を解決するための手段】
【００１０】  上記目的を達成するために、本発明に係る湯水混合栓は、水栓本体内に設けられた水側弁座及び湯側弁座と、これら両弁座に選択的に接離するように前記水栓本体内に同軸上で軸線方向に移動可能に設けられた可動弁体と、この可動弁体の上流側および下流側の水栓本体内にそれぞれ形成された湯流入室及び湯水混合室と、前記可動弁体を湯側弁座と接近する方向に付勢するように前記湯水混合室側に設けられた形状記憶材料よりなる感温バネと、この感温バネの付勢力に対抗させて前記可動弁体を水側弁座と接近する方向に付勢するように前記湯流入室側に設けられたバイアスバネと、前記水栓本体の一端に設けられ前記可動弁体を軸線方向に移動可能に収容する筒状ハウジングと、この筒状ハウジング内に収容され温調用ハンドルの回転操作に連動して回転する温調用栓棒と、この温調用栓棒に形成の雄ねじ部に螺合する雌ねじ部材を有し該栓棒の回転に伴い前記筒状ハウジング内を軸線方向に移動する筒状の移動部材とを備え、この移動部材の軸線方向移動により前記バイアスバネを伸縮させて前記可動弁体を軸線方向に移動させることによって湯水混合水の吐水温度を調整可能に構成している湯水混合栓において、前記温調用栓棒と前記筒状ハウジングとの抜止用相互接触面を、前記可動弁体側ほど漸次大径となるように軸線方向に傾斜するテーパー面に形成していることを特徴としている。
【発明の効果】
【００１１】  上記のように温調用栓棒と筒状ハウジングとの抜止用相互接触面を可動弁体側ほど漸次大径となるように軸線方向に傾斜するテーパー面に形成してなる本発明では、筒状ハウジングの径及び軸長を大きくしなくても、前記両接触面の接触面積を増やすとともに、感温バネの付勢力を利用して楔効果も発現させて両面間の回転摩擦抵抗を十分に確保することができる。したがって、両面間にコイルスプリングやラチェット等の回転抵抗機構という部品の組込み及びその組込みスペースを要しないことと、筒状ハウジングの小径化、短軸長化とが相俟って、湯水混合栓全体の製作・組付け面でのコストの低減化及び小型化を図りながらも、可動弁体が高温の吐水域に位置された状態で著しく増大される感温バネの付勢力とバイアスバネの蓄力との総和により温調用栓棒に強力な回転力が作用したとしても、前記両面間に発現される回転摩擦抵抗でその回転力に十分に打ち勝って該温調用栓棒が不測に自転することを確実に防止することができ、これによって、温吐水域に調整（設定）された吐水温度を確実かつ安定よく維持することができるという効果を奏する。【００１２】  特に、本発明においては、温度調整の操作負荷をできるだけ軽減できるように前記温調用栓棒に形成の雄ねじ部をリードの大きい二条ねじから構成した場合（請求項４）においても、上述のとおり両面間に発現される回転摩擦抵抗で温調用栓棒の自転を防止することが可能であり、これによって、温度調整操作の容易化と調整吐水温度の安定維持とを両立することができる。【００１３】  本発明において前記温調用栓棒と前記筒状ハウジングとの抜止用相互接触テーパー面は、前記可動弁体の軸線に対して２０〜６０度範囲の傾斜角度に設定されていることが好ましい（請求項２）。
因みに、前記テーパー面の傾斜角度を６０度を超える値に設定すると、温調用栓棒を抜止め支持する筒状ハウジンク側の環状壁部の肉厚が小さくなって、強大な軸力（軸荷重）を受けた時にその環状壁部が変形しやすいという強度上の問題があり、そのような強度上の問題をなくするために、環状壁部の肉厚を大きくとると、その分だけ筒状ハウジングの軸長が大きくなり、湯水混合栓全体の小型化の阻害要因となる。
また、前記テーパー面の傾斜角度を２０度未満に設定すると、軸荷重に対して筒状ハウジングの環状壁部に垂直に掛かる荷重が増大して、この筒状ハウジング側のテーパー面が撓むやすくなり、その結果、温調用栓棒が垂直面の場合よりも逆に自転しやすくなる。【００１４】  以上のように、筒状ハウジングの強度、軸長（スペース）及び所定の自転防止機能の全てを総合的に勘案すると、前記テーパー面の傾斜角度は、４５度に設定するのが最も好ましい（請求項３）。【００１５】  また、本発明において使用するバイアスバネとしては、前記可動弁体を湯側弁座と水側弁座との中間位置に移動したときのバネ定数よりも前記可動弁体を湯側弁座に接触する付近まで移動したときのバネ定数が大きくなるように少なくとも大小二段のバネ定数を有する単一バネから構成されていることが望ましい（請求項５）。このように温調用ハンドルの回転操作による吐水温調整に応じて変則的に動作する大小二段のバネ定数を有する単一のバイアスバネを使用することによって、中温吐水域付近では、吐水温度を調整温度に安定よく維持できるだけでなく、高温吐水域では、バイアスバネによる付勢力でもって圧縮により付勢力が増大している感温バネの付勢力に十分に対抗させることが可能であり、上述した温調用栓棒の自転防止機能を高めて意図した高温吐水温度をも確実に維持することができる。また、バイアスバネのバネ定数が変化することで、このバイアスバネが感温バネと共振することによる振動の発生を抑制することができる。【００１６】  上記大小二段のバネ定数を有する単一のバイアスバネとしては、可動弁体の移動方向に不等ピッチで螺旋状に巻回されたコイルバネ（請求項５）、あるいは、可動弁体の移動方向に等ピッチまたはほぼ等ピッチで、かつ、その移動方向に漸次径を変化させて巻回された円錐バネ（請求項６）のいずれを用いてもよいが、上述したような温度調整動作時における同軸維持及び製作加工面から考えると、不等ピッチで螺旋状に巻回されたコイルバネの使用がより好ましい。
【発明を実施するための最良の形態】
【００１７】  以下、本発明の実施の形態について説明する。
図１は、例えば浴室の壁面に設置され、シャワーヘッドまたは蛇口等の吐水管に水、湯または湯水混合水を供給して吐出する湯水混合栓Ａの全体断面図を示す。【００１８】  図１において、１は筒状の水栓本体で、その一端に水、湯または混合水に供給して吐出・止水機能と流量調整機能を有する切替ハンドル２が設けられているとともに、他端に湯水混合水の温度調節機能を有する温調用ハンドル３が設けられている。これら温調用ハンドル３及び切替ハンドル２は、操作時に水栓本体１の軸芯Ｘまわりに回動可能に構成されている。また、前記水栓本体１は、一端に後述する切替ユニット４の挿入用開口１ａを有する一方、他端に後述する温調ユニット６の挿入用開口１ｂを有する。【００１９】  前記切替ハンドル２に接続可能な切替ユニット４は、前記開口１ａを介して水栓本体１の内部に該水栓本体１の軸芯Ｘと同軸になるように挿入配置される。５は切替表示リングである。また、前記温調用ハンドル３に接続可能な温調ユニット６は、前記開口１ｂを介して水栓本体１の内部に該水栓本体１の軸芯Ｘと同軸になるように挿入配置される。【００２０】  前記水栓本体１は、湯配管（図示せず）に連通するように湯配管用継手７が着脱可能に装着された湯接続口８と、水配管（図示せず）に連通するように水配管用継手９が着脱可能に装着された水接続口１０と、Ｌ字型のシャワーホース用継手１１が着脱可能に装着されたシャワーホース接続口１２とが筒壁上面側に形成されているとともに、筒壁下面側には、吐水管用継手（図示せず）が着脱可能に装着された水、湯または混合水の吐水管接続口を有する。図１において、１１１で示す実線矢印は、水配管から水栓本体１に流入する水流入路を示し、１１２で示す実線矢印は、水栓本体１内を環状に流れる水の環状流路を示し、１１３で示す点線矢印は湯配管から水栓本体１に流入し、さらに、後述する可動弁体と後述する湯側弁座との隙間を通り湯流入室Ｓから前記可動弁体に形成された中央孔を通って湯水混合室Ｒに至る湯流入路を示し、１１４で示す一点鎖線矢印は、前記水の環状流路１１２から前記湯水混合室Ｒに至る水流入路を示す。【００２１】  １５は前記切替ユニット４の筒状外ケースで、水栓本体１内に該水栓本体１と同軸の横置き状態で設けられている。この外ケース１５は、樹脂製で筒状水栓本体１の内壁にＯリングなどのシール部材１６を介して水密状態に固定されており、この外ケース１５と水栓本体１間に前記水の環状流路１１２が形成されている。なお、前記外ケース１５は、湯水混合室Ｒと吐水管接続口を連通する連通孔及び湯水混合室Ｒとシャワーホース接続口を連通する連通孔とを有する。【００２２】  １７は前記切替ユニット４の筒状内ケースで、前記外ケース１５内に水栓本体１と同軸の横置き状態で設けられている。この内ケース１７には吐水管連通用切欠およびシャワーホース連通用切欠が形成され、内ケース１７内に設けた筒状の回動部材としての金属製切替バルブ１８が、前記切替ハンドル２の切替え操作により切替栓棒１９を介して、吐水管側あるいはシャワーホース側に、内ケース１７の前記吐水管連通用切欠またはシャワーホース連通用切欠を介して水栓本体１の軸芯Ｘのまわりに切り替わるように構成さ��ている。【００２３】  一方、前記温調ユニット６は、図２に明示するように、主として、切替ユニット４の外ケース１５の端部にシール可能に当接する端部を有し水栓本体１との間に前記水の環状流路１１２を形成する筒状の外ケース２０と、この外ケース２０内に設けられた筒状のハウジング２１とを備えている。前記筒状ハウジング２１は、可動弁体２２を軸線方向に移動可能に収容する筒状の弁体収容部材２３と、前記温調用ハンドル３及び可動弁体２２間に水栓本体１と同軸の横置き状態で設けられた筒状の固定ガイド部材２４と、これら両者２３，２４を内側からシール可能に接続するように設けた筒状の接続部材２５とから構成されている。前記弁体収容部材２３は、可動弁体２２を介して切替ユニット４側に形成される湯水混合室Ｒの一部を有し、また、可動弁体２２を介して温調ユニット６側に形成される湯流入室Ｓを有し、さらに、可動弁体２２をリング状の湯側弁座２６と接近する方向に付勢する形状記憶材料よりなる感温バネ２７を湯水混合室Ｒの一部に有する。前記湯側弁座２６は接続部材２５の一方端面で可動弁体２２が対向する側に形成されている。【００２４】  一方、固定ガイド部材２４は、内部に温調用ハンドル３の回転操作に連動して回転される温調用栓棒２８を有するとともに、この温調用栓棒２８の先端側に形成されたリードの大きい二条ねじからなる雄ねじ部３０に螺合する雌ねじ部材３４を有し前記温調用栓棒２８の回転に伴って可動弁体２２に対して離接する軸線方向に移動される有底筒状の移動部材２９を収容している。そして、前記可動弁体２２を水側弁座３１側に付勢するように該可動弁体２２の感温バネ２７とは反対側の湯流入室Ｓ内、具体的には、固定ガイド部材２４と接続部材２５間にわたりバイアスバネ３２が設けられている。このバイアスバネ３２は、移動部材２９の一方端面と可動弁体２２の先端面内側に取り付けたバネ受け部材３３との間に介設されている。前記水側弁座３１は、弁体収容部材２３の段差部分である内周小径位置に形成されている。そして、湯水混合水の設定温度調整のたびに、温調用ハンドル３を回転させることにより、バイアスバネ３２を軸線方向に伸縮させて設定温度である湯水混合水の吐水温度を調整設定するように前記温調用栓棒２８と移動部材２９が設けられている。【００２５】  上記のような基本構成を有する湯水混合栓Ａにおいて、前記温調用栓棒２８と筒状ハウジング２１における固定ガイド部材２４の環状壁部２４Ａとの抜止用相互接触面２８ａ，２４ａが、前記可動弁体２２側ほど漸次大径となるように軸線方向に傾斜するテーパー面に形成されている。これらテーパー面２８ａ，２４ａは、可動弁体２２の軸線、つまり、水栓本体１の軸芯Ｘに対して２０〜６０度範囲の傾斜角度θに設定されている。ここで、筒状ハウジング２１の固定ガイド部材２４の強度、軸長（スペース）及び回転摩擦抵抗による自転防止機能を総合的に勘案すると、最も好ましい傾斜角度θは４５度である。そして、両テーパー面２８ａ，２４ａに連なる前記温調用栓棒２８の外周面と筒状ハウジング２１の内周面との間には、水密用シールリング３５が介在されている。【００２６】  上記のように温調用栓棒２８と筒状ハウジング２１��固定ガイド部材２４との抜止用相互接触面２８ａ，２４ａが可動弁体２２側ほど漸次大径となるように軸線方向に４５度の傾斜角度θを有するテーパー面に形成されてなる湯水混合栓Ａにおいては、固定ガイド部材２４の径及び軸長を大きくしなくても、前記両接触面２８ａ，２４ａの接触面積を増やすとともに、感温バネ２７の付勢力を利用して楔効果も発現させて両面２８ａ，２４ａ間の回転摩擦抵抗を著しく増大することが可能となる。それゆえに、両面２８ａ，２４ａ間にコイルスプリングやラチェット等の回転抵抗機構という部品の組込み及びその組込みスペースを要さず、固定ガイド部材２４、筒状ハウジング２１の小径化、短軸長化によって湯水混合栓Ａ全体としての製作・組付け面でのコストの低減化及び小型化を図りながらも、可動弁体２２が高温の吐水域に位置された状態で著しく増大される感温バネ２７の付勢力とバイアスバネ３２の蓄力との総和に伴い移動部材２９に強大な軸力が働いて、その軸力により温調用栓棒２８に強力な回転力が作用したとしても、前記両面２８ａ，２４ａ間の回転摩擦抵抗でその回転力に十分に打ち勝って該温調用栓棒２８の自転を確実に防止することができ、これによって、温吐水域に調整（設定）された吐水温度を確実かつ安定よく維持することができる【００２７】  また、上記のような基本構成を有する湯水混合栓Ａにおける前記バイアスバネ３２として、図３に明示するように、前記可動弁体２２の移動方向に不等ピッチ（Ｐ１≠Ｐ２≠Ｐ３≠Ｐ４≠Ｐ５≠Ｐ６≠Ｐ７）で螺旋状に巻回して作製された単一のコイルバネが用いられ、これによって、４０℃付近の設定温度のときのバネ定数よりも、４０℃よりも高温の吐水域で最高温度付近の設定温度のときのバネ定数が大きくなるように構成されている。具体的に、この実施の形態で用いたバイアスバネ（コイルバネ）３２は、１．６ｍｍの線径を有するＳＵＳ製線材を長さ方向両端の細ピッチ部有効巻数が１．２５Ｔ、中間の粗ピッチ部有効巻数が２．５０Ｔ、総巻数が５．７５Ｔ（座各１Ｔ）で、かつ、コイル外径ＤがΦ１２．４±０．１ｍｍ、全長Ｌが２０．６７ｍｍとなるように螺旋状に巻回することによって作製されている。【００２８】  図４は、前記のように作製されたバイアスバネ３２のバネ長対バネ荷重の特性図を示しており、同図からも明らかなように、例えば吐水温度が４０℃よりは低い低温の吐水域のときは温調用ハンドル３の回転によってバイアスバネ３２に与えられる荷重が３８（Ｎ）のときバネ長が１７．５ｍｍであるが、吐水温度が４０℃付近の中温度の吐水域のときは温調用ハンドル３の回転によってバイアスバネ３２に与えられる荷重は５０．０（Ｎ）でバネ長は１６．５ｍｍとなる。このように、低温及び中温の吐水域ではバネ長と荷重の測定値がほぼ同じ勾配を持った直線Ｂ上に位置するバネ定数となるとともに、吐水温度が４０℃よりも高い高温の吐水域のときは温調ハンドル３の回転によってバイアスバネ３２に与えられる荷重が１１５．０（Ｎ）でバネ長が１２．７ｍｍになる。すなわち、高温の吐水域ではバネ長と荷重の測定値がほぼ同じ勾配を持ち、前記直線Ｂよりも勾配の大きい直線Ｃ上に位置するバネ定数となる。【００２９】  このように、吐水温度４０℃��近のバネ定数よりも、高温の吐水域、例えば最高温度付近のバネ定数が大きく（強く）なるように二段のバネ定数を有する単一のバイアスバネ３２を用いることにより、中温吐水域付近では、吐水温度４０℃付近の安定性を維持しながら、温調用ハンドル３の全開操作時のバイアスバネ３２の付勢力（押し返す力）を感温バネ２７の付勢力に十分に対抗させることが可能となり、これによって、上述したテーパー面２８ａ，２４ａ同士の接触による温調用栓棒２８の自転防止機能を高めて意図した高温吐水温度を確実に維持することができる。また、バイアスバネ３２のバネ定数が変化することで、このバイアスバネ３２が感温バネ２７と共振することによる振動の発生を抑制することができる。【００３０】  なお、上記実施の形態では、単一のバイアスバネとして不等ピッチのコイルバネ３２を用いたが、これに代えて、図５に示すように、可動弁体２２の移動方向に等ピッチまたはほぼ等ピッチで、かつ、その移動方向に漸次径を変化させて巻回させた円錐バネ４２を用いてもよい。この場合、当該円錐バネ４２はその径の変化率の工夫によって、上記実施の形態で示した不等ピッチのコイルバネ（バイアスバネ）３２と同様に、４０℃付近の設定温度のときのバネ定数よりも、４０℃よりも高温の吐水域で最高温度付近の設定温度のときのバネ定数が大きくなるような二段のバネ定数を有するように構成されている。【００３１】  また、前記温調用栓棒２８及び筒状ハウジング２１の固定ガイド部材２４の素材としては、強度及び断熱性の面からエンジニアリングプラスチックを用いることが望ましい。特に、加工性及び耐熱性の面からは、エンジニアリングプラスチックの中でも、ポリアセタール（ＰＯＭ）、変性ポリフェニレンオキサイド（変性ＰＰＯ）、ポリフェニレンサルファイド（ＰＰＳ）、ポリサルフォン（ＰＳＦ）などが好ましく、特に好ましい材料は、湯水中の寸法安定性やクリープ性に優れたポリフェニレンサルファイド（ＰＰＳ）である。【００３２】  さらに、前記温調用栓棒２８の先端側に形成される雄ねじ部３０としては、温度調整の操作負荷をできるだけ軽減できるように、外径が１３ｍｍでリードの大きい二条ねじから構成されたものが実用されており、このような仕様の雄ねじ部３０を使用することで温調用栓棒２８が一層自転しやすくなるものの、この場合、前記両テーパー面２８ａ，２４ａの傾斜角度θを４５度に設定することによって、感温バネ２７の付勢力とバイアスバネ３２の蓄力との総和に伴い移動部材２９に働く強大な軸力に起因して温調用栓棒２８に作用する回転力に打ち勝つに十分な回転摩擦抵抗を両テーパー面２８ａ，２４ａ間に発現させ得て所定の自転防止機能を確実に発揮できることを確認した。
【図面の簡単な説明】
【００３３】
【図１】  本発明に係る湯水混合栓の実施の形態を示す全体断面図である。
【図２】  同上実施の形態の湯水混合栓の要部の拡大断面図である。
【図３】  同上実施の形態の湯水混合栓に用いるバイアスバネの拡大側面図である。
【図４】  図３に示すバイアスバネのバネ長さ対バネ荷重特性図である。
【図５】  本発明に係る湯水混合栓に用いるバイアスバネの他の例を示す拡大側面図である。
【符号の説明】
【００３４】  １  水栓本体
３  温調用ハンドル
２１  筒状ハウジング
２２  可動弁体
２４  固定ガイド部材
２６  湯側弁座
２７  感温バネ
２８  温調用栓棒
２４ａ，２８ａ  相互接触テーパー面
２９  移動部材
３０  雄ねじ部
３１  水側弁座
３２  バイアスバネ
３４  雌ねじ部材
Ｓ  湯流入室
Ｒ  湯水混合室
θ  テーパー面の傾斜角度
【図１】
2008069953.tif 000003
【図２】
2008069953.tif 000004
【図３】
2008069953.tif 000005
【図４】
2008069953.tif 000006
【図５】
2008069953.tif 000007